(57)【要約】【課題】  壁紙の貼り付けに熟達した者でなくてもうまく貼り付けることができ、且つ、紙製の壁紙シートの切断面から水分が浸入してしまうことを防止できるようにする。【解決手段】  所定の大きさの紙製の基材２と、その表面及び裏面を覆う透明な樹脂製の保護層３とを備えた壁紙シート１であって、樹脂製の保護層３は、更に紙製の基材２の周囲を覆うようにしているので、壁紙シート１が取り回しの容易な大きさとなり、且つ、紙製の基材２の周囲が樹脂製の保護層３により完全にコーティングされ、紙製の基材２の周囲からの水分の浸入を防止することができ、壁紙シート１の傷みを防止することができる。【選択図】        図１
2006070367.tif 000002
【特許請求の範囲】
【請求項１】
所定の大きさの紙製の基材と、
前記紙製の基材の表面と裏面と側面とを覆う透明な樹脂製の保護層を備えた壁紙シート。
【請求項２】
所定の大きさの紙製の基材と、
前記紙製の基材の表面と裏面とを覆う透明な樹脂製の保護層とを備え、
前記紙製の基材の周辺部の厚さを他の部分よりも薄くした壁紙シート。
【請求項３】
前記紙製の基材の裏面を覆う前記保護層の表面に接着剤層を備えた請求項１又は請求項２に記載の壁紙シート。
【請求項４】
前記保護層は、ポリプロピレン樹脂、ポリカーボネート樹脂、ポリエステル樹脂、塩化ビニル樹脂のうちの何れかを材料としたことを特徴とする請求項１乃至請求項３の何れか一項に記載の壁紙シート。
【発明の詳細な説明】
【技術分野】
【０００１】
本発明は、住宅などの壁面に貼り付けられる壁紙を形成する壁紙シートに関するものである。
【背景技術】
【０００２】
従来、紙製の壁紙は、表面にプリントまたはエンボス（型押し）加工を施すことが容易であるため、デザインや色調が豊富である。また、普通紙や加工紙、和紙、紙布などの紙を使用することにより様々な質感を得ることが出来る。
【０００３】
このような紙製の壁紙を壁面に貼り付ける方法としては、以下のようなものがあった。ロール状に巻かれた壁紙シートをカッター等の切断器具によって適当な長さに切断し、それを図４に示すように横方向に並べて貼り付ける。このとき、隣り合う壁紙シート５１ａ，５１ｂを数ｃｍ重ね合わせて壁面に貼り付け、重なった部分の略中央（一点鎖線で示す）を切断する。このような合断ちと呼ばれる方法により、繋ぎ目を隙間なく貼り付けることができる。
【０００４】
しかしながら、紙製の壁紙シートをそのまま壁面に貼りつけると、室内の湿気や壁表面からの水分、紙製の壁紙シートを壁面に貼り付けるための接着剤に含まれる水分などを紙製の壁紙シートが吸収してしまい、壁紙シートが傷んでしまうという問題があった。
【０００５】
また、紙製の壁紙シートを壁面に貼り付けるときには、大き目の壁紙シートを使用し、合断ちと呼ばれる手法を用いるため、職人などの壁紙の貼り付けに熟達した者でなければ、壁紙シートをうまく貼り付けることができないという問題があった。
【０００６】
なお、紙製の壁紙シートの表面を表面保護フィルムにて被覆し、紙製の壁紙シートと裏打ち紙との間に熱溶融性樹脂フィルムを挟むことで、紙製の壁紙シートに対して、室内の湿気や壁表面からの水分、紙製の壁紙シートを壁面に貼り付けるための接着剤の水分等が浸入することを防止する技術が知られている（例えば特許文献１など）。
【特許文献１】特開２０００−３２８４９９号公報
【０００７】
しかしながら、上述した特許文献１に記載の紙製の壁紙シートを使用した場合、住宅などの壁面に貼り付けるときには、壁紙シートを適当な長さに切断しなければならないので、壁紙シートの切断面には、紙部分が露出してしまう。そのため、紙部分が露出したところから室内の湿気や壁表面からの水分、紙製の壁紙シートを壁面に貼り付けるための接着剤の水分等が浸入してしまうという問題があった。
【発明の開示】
【発明が解決しようとする課題】
【０００８】
本発明は、このような問題を解決するために成されたものであり、壁紙の貼り付けに熟達した者でなくてもうまく壁紙シートを貼り付けることができ、且つ、水分の浸入を防止することができる紙製の壁紙シートを提供することを目的とする。
【課題を解決するための手段】
【０００９】
上述した課題を解決するために、本発明の壁紙シートは、所定の大きさの紙製の基材と、その表面及び裏面を覆う透明な樹脂製の保護層とを備えた壁紙シートであって、樹脂製の保護層は、更に紙製の基材の側面を覆うようにしている。
【発明の効果】
【００１０】
上記のように構成した本発明によれば、紙製の壁紙シートを所定の大きさとしているので、取り回しが容易となり、壁紙の貼り付けに熟達した者でなくてもうまく壁紙シートを貼り付けることができる。また、紙製の基材が樹脂製の保護層により完全に覆われ、これを切断せずに壁面に貼り付けることができるので、保護層に覆われていない紙部分が露出してしまうことがない。これにより、室内の湿気や壁表面からの水分、壁紙シートを壁面に貼り付けるための接着剤の水分等が紙製の基材に浸入することを防止することができ、壁紙の傷みを防止することができる。
【発明を実施するための最良の形態】
【００１１】
以下、本発明の一実施形態を図面に基づいて説明する。図１は、本実施形態による壁紙シート１の構成例を示す図である。図1において、１は壁紙シート、２は紙製の基材、３は保護層、４は接着剤層である。
【００１２】
紙製の基材２は、パルプ繊維を素材とした所定の大きさの板状の部材であり、表面に模様などを印刷することができる。ここで、所定の大きさは、壁面に貼り付ける際に取り回しが容易となるように、１ｍ四方程度以下の大きさ、好ましくは３０ｃｍ四方程度以下の大きさであることが好ましい。ここで、本実施形態では、前述したような紙製の基材２を備えた複数の壁紙シート１を壁面に並べて貼り付けることで壁紙を形成している。
【００１３】
保護層３は、透明な樹脂を素材とするものであり、ポリプロピレン（ＰＰ）樹脂やポリカーボネート樹脂、ポリエステル樹脂、塩化ビニル樹脂などが使用される。ここで、ポリプロピレン樹脂は他の素材と比べて硬いので、保護層３としてより好ましい。
【００１４】
また、保護層３は、紙製の基材２の表面や裏面だけでなく、紙製の基材２の側面を覆うように形成されている。また、保護層３は、紙製の基材２の表面に形成された部分の厚みと紙製の基材２の裏面に形成された部分の厚みとが略等しくなるように形成されている。これにより、紙製の基材２の表面に形成された保護層３と紙製の基材２の裏面に形成された保護層３との引っ張り強度が等しくなり、壁紙シート１の反り返りや変形を抑制することができる。
【００１５】
接着剤層４は、壁紙シート１を壁面に貼り付けるために接着剤を塗布して形成される層であり、紙製の基材２の裏面に形成された保護層３の表面（壁面側の面）に形成されている。ここで、接着剤層４は壁面側をシール状として構成しても良い。
【００１６】
このように構成された壁紙シート１を壁面に貼り付ける場合の例を図面に基づいて説明する。図２は、本実施形態による壁紙シート１を壁面に貼り付けた例を示す図である。図２に示すように、複数の壁紙シート１（ここでは６枚の壁紙シート１）は、接着剤層４が壁面側となるようにして、壁面に並べて貼り付けられる。ここで、それぞれの壁紙シート１は、隙間が出来ないように並べられているが、それぞれの壁紙シート１の間には継ぎ目部１０が形成される。
【００１７】
以上詳しく説明したように、本実施形態によれば、壁紙シート１を所定の大きさとしているので、壁紙シート１の取り回しが容易となり、壁紙の貼り付けに熟達した者でなくてもうまく壁紙シート１を貼り付けることができる。また、紙製の基材２の表面や裏面だけでなく、紙製の基材２の側面も覆うように樹脂製の保護層３を形成しているので、紙製の基材２の周囲が樹脂製の保護層３により完全にコーティングされ、壁紙シート１の表面及び裏面だけでなく、壁紙シート１を並べて壁面に貼り付けた場合に生じる継ぎ目部１０から室内の湿気や壁面からの水分、壁紙シート１を壁面に貼り付けるための接着剤層４からの水分の浸入を防止することができる。また、切断せずに壁面に貼り付けることができるので、紙製の基材２が露出せずに、そこから水分が浸入することもない。従って、壁紙シート１を構成する紙製の基材２の傷みを防止することができる。
【００１８】
なお、本実施形態による壁紙シート１は、例えば以下のようにして生成する。まず、所定の大きさの紙製の基材２が複数枚切り取れる程度の大きさの基材シートの表面及び裏面に樹脂性のシートから成る保護層３をコーティングして壁紙シートを生成する。そして、壁紙シートから所定の大きさの壁紙シート１を切り出し、切断面に熱を加える。壁紙シート１の表面及び裏面の保護層３は、切断面に加えられた熱によって溶け、壁紙シート１の側面部分でくっつく。これにより、紙製の基材２の表面や裏面だけでなく、側面にも保護層３を形成することができる。
【００１９】
また、本実施形態による壁紙シート１は、所定の大きさの紙製の基材２を液状の樹脂に浸すことによっても生成することができる。これにより、紙製の基材２の表面、裏面及び側面を保護層３で覆うことができる。
【００２０】
また、紙製の基材２として、例えばボール紙のような紙自体が層構造となっているものを使用しても良い。これにより、紙製の基材２を硬くすることができるので、壁紙シート１の反り返りや変形を抑制することができる。
【００２１】
また、上記実施形態では、紙製の基材２の表面や裏面だけでなく、紙製の基材２の側面も覆うように樹脂製の保護層３を形成しているがこれに限定されない。例えば、図３に示すように、紙製の基材１２の表面を覆う第１の保護層１３ａと、紙製の基材１２の裏面を覆う第２の保護層１３ｂとを備えた壁紙シート１１において、壁紙シート１１の表面（第１の保護層）の周辺部分をプレスなどにより加工しても良い。これにより、紙製の基材１２の周辺部分を薄くして、壁紙シート１１の側面における紙製の基材１２の露出部分を少なくするようにしているので、水分の浸入を抑止することができ、壁紙シート１１を構成する紙製の基材１２の傷みを防止することができる。また、加工時に保護層を溶かすほどの熱を必要としないので、上記実施形態と比較して、加工が容易となる。
【００２２】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００２３】
本発明は、住宅などの壁面に貼り付けられる紙製の壁紙シートに有用である。
【図面の簡単な説明】
【００２４】
【図１】本実施形態による壁紙シートの構成例を示す図である。
【図２】本実施形態による壁紙シートを壁面に貼り付けた例を示す図である。
【図３】本実施形態による壁紙シートの変形例を示す図である。
【図４】従来の壁紙の貼り付け方法を説明する図である。
【符号の説明】
【００２５】
１    壁紙シート
２    紙製の基材
３    保護層
４    接着剤層
１０    継ぎ目部
【図１】
2006070367.tif 000003
【図２】
2006070367.tif 000004
【図３】
2006070367.tif 000005
【図４】
2006070367.tif 000006